(57)【要約】【課題】読取画素数を増加させることなく、かつ、コストを抑制して、必要に応じて十分精細な画像を得る。【解決手段】ミラー駆動部２１，２２が、原稿Ｋからレンズ１６に到る光路長を変更して、イメージセンサ１７に結像される画像の倍率を変更し、ここで、例えば、読取範囲の狭い小さいサイズの原稿を高密度で読み取りたい場合には、原稿Ｋから到来した光が、レンズ１６に到達するまでのミラー１２，１３，１４，１５における反射回数を減少させて、レンズ１６に導かれるように、所定のミラー１２，１３を回転させ、ミラー１４を経由させないようにして、光路長を短縮することによって、イメージセンサ１７に結像される画像を拡大する。【選択図】図１
2006115137.tif 000002
【特許請求の範囲】
【請求項１】
複数の光電変換素子からなるイメージセンサと、読取対象としての原稿の画像を前記イメージセンサの撮像画面上に結像させるレンズと、前記原稿と前記レンズとの間の光路上に配置され、前記原稿側から到来した光を反射して前記レンズへ導く複数のミラーからなるミラー群とを有し、前記原稿の読取位置を走査しながら前記原稿の画像情報を読み取る走査モジュールを備えてなる画像読取装置であって、
前記原稿から前記レンズに到る光路長を変更して、前記イメージセンサの前記撮像画面上に結像される画像の倍率を変更する変倍手段と、前記レンズ又は／及び前記イメージセンサを光軸に沿って変位させて、焦点が合せられた状態で前記イメージセンサの前記撮像画面上に前記原稿の画像を結像させる焦点調整手段とを備え、
前記変倍手段は、前記原稿から到来した光が、前記レンズに到達するまでの前記ミラー群における反射回数を減少させて、前記レンズに導かれるように、前記ミラー群を構成する所定のミラーを変位させ、前記原稿から前記レンズに到る光路長を短縮することによって、前記イメージセンサの撮像画面上に結像される画像を拡大することを特徴とする画像読取装置。
【請求項２】
前記変倍手段は、前記所定のミラーを回転させて、該ミラーで反射する光の反射方向を変更させ、前記原稿から到来した光を、回転させたミラーの前記光路に沿って前記レンズ側に配置された所定のミラーに入射させないことによって、前記原稿から前記レンズに到る光路長を短縮させることを特徴とする請求項１記載の画像読取装置。
【請求項３】
前記変倍手段は、前記ミラー群を構成する所定のミラーを変位させて前記光路上から退避させ、前記原稿から到来した光を、退避させたミラーの前記光路に沿って前記レンズ側に配置されたミラーに入射させることによって、前記原稿から前記レンズに到る光路長を短縮させることを特徴とする請求項１又は２記載の画像読取装置。
【請求項４】
前記イメージセンサによって得られた画像信号に、間引き処理又は補間処理を施すことによって、画像を電気的に縮小又は拡大することを特徴とする請求項１、２又は３記載の画像読取装置。
【請求項５】
前記走査モジュールを所定の走査方向に沿って移動させるモジュール駆動手段を備えてなることを特徴とする請求項１乃至４のいずれか１に記載の画像読取装置。
【請求項６】
複数の光電変換素子からなるイメージセンサと、読取対象としての原稿の画像を前記イメージセンサの撮像画面上に結像させるレンズと、前記原稿と前記レンズとの間の光路上に配置され、前記原稿側から到来した光を反射して前記レンズへ導く複数のミラーからなるミラー群とを有し、前記原稿の読取位置を走査しながら前記原稿の画像情報を読み取る走査モジュールを備えてなる画像読取装置における変倍方法であって、
前記原稿から前記レンズに到る光路長を変更して、前記イメージセンサの前記撮像画面上に結像される画像の倍率を変更する変倍ステップと、前記レンズ又は／及び前記イメージセンサを光軸に沿って変位させて、焦点が合せられた状態で前記イメージセンサの前記撮像画面上に前記原稿の画像を結像させる焦点調整ステップとを備え、
前記変倍ステップでは、前記原稿から到来した光が、前記レンズに到達するまでの前記ミラー群における反射回数を減少させて、前記レンズに導かれるように、前記ミラー群を構成する所定のミラーを変位させ、前記原稿から前記レンズに到る光路長を短縮することによって、前記イメージセンサの撮像画面上に結像される画像を拡大することを特徴とする画像読取装置における変倍方法。
【請求項７】
前記変倍ステップでは、前記所定のミラーを回転させて、該ミラーで反射する光の反射方向を変更させ、前記原稿から到来した光を、回転させたミラーの前記光路に沿って前記レンズ側に配置された所定のミラーに入射させないことによって、前記原稿から前記レンズに到る光路長を短縮させることを特徴とする請求項６記載の画像読取装置における変倍方法。
【請求項８】
前記変倍ステップでは、前記ミラー群を構成する所定のミラーを変位させて前記光路上から退避させ、前記原稿から到来した光を、退避させたミラーの前記光路に沿って前記レンズ側に配置されたミラーに入射させることによって、前記原稿から前記レンズに到る光路長を短縮させることを特徴とする請求項６又は７記載の画像読取装置における変倍方法。
【請求項９】
前記イメージセンサによって得られた画像信号に、間引き処理又は補間処理を施すことによって、画像を電気的に縮小又は拡大することを特徴とする請求項６、７又は８記載の画像読取装置における変倍方法。
【請求項１０】
前記走査モジュールを所定の走査方向に沿って移動させるモジュール駆動ステップを備えてなることを特徴とする請求項６乃至９のいずれか１に記載の画像読取装置における変倍方法。
【発明の詳細な説明】
【技術分野】
【０００１】
この発明は、画像読取装置及び該画像読取装置における変倍方法に係り、例えば、平板状のコンタクトガラス上に原稿を固定して、光源、イメージセンサ、ミラー及び原稿画像を縮小してイメージセンサに結像させるレンズが筐体内に配置されたモジュールを原稿に対してスキャンさせて原稿画像を読み取る方式の画像読取装置及び該画像読取装置における変倍方法に関する。
【背景技術】
【０００２】
従来より、例えば、デジタル複写機やファクシミリの入力部を構成する画像読取装置としてのスキャナは、読み取る原稿の短辺の長さと同一寸法の基板上に光導電膜を形成して画像を読み取る密着型イメージセンサ方式と、原稿に光源から照明光を照射し反射光をミラー及びレンズを介してＣＣＤ（Charge Coupled Device）等のイメージセンサ上に結像させる縮小光学系方式とによるものに大別される。
また、縮小光学系方式によるものは、光源、ミラー、レンズ及びイメージセンサを筐体内に配置したモジュールを原稿に対してスキャンさせるモジュール一体方式と、光源及びミラーのみが移動するミラー移動方式とによるものとがある。
【０００３】
しかしながら、高精細な画像データを得ようとすると、いずれの方式でも、単位長さ当りの読取画素数を増加させる必要があった。
画素数を増加させることにより、１画素の面積が小さくなり、出力が低下して、Ｓ／Ｎ比が悪化するという問題があった。このため、光源の光量を増加させるか、レンズの瞳径を大きくするか、又は読取速度を低下させる必要があった。
また、画素数の増加のために、画像全体のデータ量が膨大となり、画像処理に要する計算量や、必要な記憶容量もが増大化し、処理時間がかかり、コストも嵩むという問題があった。
また、画素数の増加によって、高価な密着型イメージセンサやＣＣＤを必要とし、縮小光学系方式では、高解像度のレンズを必要とし、コストが嵩む上に寸法も大きくなり、小型化が困難になるという問題があった。
このため、ミラー移動方式で、読取画像を拡大する場合には、ミラー、レンズ及びイメージセンサを変位させて、原稿からレンズに到る光路長を短くして、画素数を増加させることなく、画質を向上させる技術が提案されている（例えば、特許文献１参照。）。
【特許文献１】特開昭５７−６８２１号公報
【発明の開示】
【発明が解決しようとする課題】
【０００４】
解決しようとする問題点は、上述した従来技術では、光学系を移動させる場合に、ミラー等を光軸に沿って並進移動させるために、比較的狭い範囲でしか倍率の変更ができず、十分に精細度や画質を向上させることができないという点である。
【０００５】
この発明は、上述の事情に鑑みてなされたもので、読取画素数を増加させることなく、かつ、コストを抑制して、必要に応じて十分精細な画像を得ることができる画像読取装置及び該画像読取装置における変倍方法を提供することを目的としている。
【課題を解決するための手段】
【０００６】
上記課題を解決するために、請求項１記載の発明は、複数の光電変換素子からなるイメージセンサと、読取対象としての原稿の画像を上記イメージセンサの撮像画面上に結像させるレンズと、上記原稿と上記レンズとの間の光路上に配置され、上記原稿側から到来した光を反射して上記レンズへ導く複数のミラーからなるミラー群とを有し、上記原稿の読取位置を走査しながら上記原稿の画像情報を読み取る走査モジュールを備えてなる画像読取装置に係り、上記原稿から上記レンズに到る光路長を変更して、上記イメージセンサの上記撮像画面上に結像される画像の倍率を変更する変倍手段と、上記レンズ又は／及び上記イメージセンサを光軸に沿って変位させて、焦点が合せられた状態で上記イメージセンサの上記撮像画面上に上記原稿の画像を結像させる焦点調整手段とを備え、上記変倍手段は、上記原稿から到来した光が、上記レンズに到達するまでの上記ミラー群における反射回数を減少させて、上記レンズに導かれるように、上記ミラー群を構成する所定のミラーを変位させ、上記原稿から上記レンズに到る光路長を短縮することによって、上記イメージセンサの撮像画面上に結像される画像を拡大することを特徴としている。
【０００７】
また、請求項２記載の発明は、請求項１記載の画像読取装置に係り、上記変倍手段は、上記所定のミラーを回転させて、該ミラーで反射する光の反射方向を変更させ、上記原稿から到来した光を、回転させたミラーの上記光路に沿って上記レンズ側に配置された所定のミラーに入射させないことによって、上記原稿から上記レンズに到る光路長を短縮させることを特徴としている。
【０００８】
また、請求項３記載の発明は、請求項１又は２記載の画像読取装置に係り、上記変倍手段は、上記ミラー群を構成する所定のミラーを変位させて上記光路上から退避させ、上記原稿から到来した光を、退避させたミラーの上記光路に沿って上記レンズ側に配置されたミラーに入射させることによって、上記原稿から上記レンズに到る光路長を短縮させることを特徴としている。
【０００９】
また、請求項４記載の発明は、請求項１、２又は３記載の画像読取装置に係り、上記イメージセンサによって得られた画像信号に、間引き処理又は補間処理を施すことによって、画像を電気的に縮小又は拡大することを特徴としている。
【００１０】
また、請求項５記載の発明は、請求項１乃至４のいずれか１に記載の画像読取装置に係り、上記走査モジュールを所定の走査方向に沿って移動させるモジュール駆動手段を備えてなることを特徴としている。
【００１１】
また、請求項６記載の発明は、複数の光電変換素子からなるイメージセンサと、読取対象としての原稿の画像を上記イメージセンサの撮像画面上に結像させるレンズと、上記原稿と上記レンズとの間の光路上に配置され、上記原稿側から到来した光を反射して上記レンズへ導く複数のミラーからなるミラー群とを有し、上記原稿の読取位置を走査しながら上記原稿の画像情報を読み取る走査モジュールを備えてなる画像読取装置における変倍方法に係り、上記原稿から上記レンズに到る光路長を変更して、上記イメージセンサの上記撮像画面上に結像される画像の倍率を変更する変倍ステップと、上記レンズ又は／及び上記イメージセンサを光軸に沿って変位させて、焦点が合せられた状態で上記イメージセンサの上記撮像画面上に上記原稿の画像を結像させる焦点調整ステップとを備え、上記変倍ステップでは、上記原稿から到来した光が、上記レンズに到達するまでの上記ミラー群における反射回数を減少させて、上記レンズに導かれるように、上記ミラー群を構成する所定のミラーを変位させ、上記原稿から上記レンズに到る光路長を短縮することによって、上記イメージセンサの撮像画面上に結像される画像を拡大することを特徴としている。
【００１２】
また、請求項７記載の発明は、請求項６記載の画像読取装置における変倍方法に係り、上記変倍ステップでは、上記所定のミラーを回転させて、該ミラーで反射する光の反射方向を変更させ、上記原稿から到来した光を、回転させたミラーの上記光路に沿って上記レンズ側に配置された所定のミラーに入射させないことによって、上記原稿から上記レンズに到る光路長を短縮させることを特徴としている。
【００１３】
また、請求項８記載の発明は、請求項６又は７記載の画像読取装置における変倍方法に係り、上記変倍ステップでは、上記ミラー群を構成する所定のミラーを変位させて上記光路上から退避させ、上記原稿から到来した光を、退避させたミラーの上記光路に沿って上記レンズ側に配置されたミラーに入射させることによって、上記原稿から上記レンズに到る光路長を短縮させることを特徴としている。
【００１４】
また、請求項９記載の発明は、請求項６、７又は８記載の画像読取装置における変倍方法に係り、上記イメージセンサによって得られた画像信号に、間引き処理又は補間処理を施すことによって、画像を電気的に縮小又は拡大することを特徴としている。
【００１５】
また、請求項１０記載の発明は、請求項６乃至９のいずれか１に記載の画像読取装置における変倍方法に係り、上記走査モジュールを所定の走査方向に沿って移動させるモジュール駆動ステップを備えてなることを特徴としている。
【発明の効果】
【００１６】
この発明の構成によれば、変倍手段が、原稿からレンズに到る光路長を変更して、イメージセンサに結像される画像の倍率を変更し、この際、原稿から到来した光が、レンズに到達するまでのミラー群における反射回数を減少させて、レンズに導かれるように、ミラー群を構成する所定のミラーを変位させ、光路長を短縮することによって、イメージセンサに結像される画像を拡大するので、読取画素数を増加させることなく、かつ、コストを抑制して、必要に応じて十分精細な画像を得ることができる。
また、例えば、縮小光学系方式の既存の画像読取装置に、所定のミラーを変位させるための変倍手段としての駆動手段を追加すれば良いので、一段とコストを抑制することができる。
【発明を実施するための最良の形態】
【００１７】
変倍手段が、原稿からレンズに到る光路長を変更して、イメージセンサに結像される画像の倍率を変更し、この際、原稿から到来した光が、レンズに到達するまでのミラー群における反射回数を減少させて、レンズに導かれるように、ミラー群を構成する所定のミラーを変位させ、光路長を短縮して、イメージセンサに結像される画像を拡大することによって、読取画素数を増加させることなく、かつ、コストを抑制して、必要に応じて十分精細な画像を得るという目的を実現した。
【実施例１】
【００１８】
図１は、この発明の第１実施例であるスキャナの読取モジュールの構成を模式的に示す図、図２は、同スキャナの構成を示すブロック図、図３は、同スキャナの概略構成を説明するための説明図、図４は、同読取モジュールの光学系駆動部の構成を示すブロック図、図５は、同光学系駆動部のミラー駆動部の構成を説明するための説明図、図６は、同スキャナのコントローラの構成を示すブロック図、また、図７は、同読取モジュールの動作を説明するための説明図である。
【００１９】
この例のスキャナ１は、図１乃至図３に示すように、主走査方向Ｍに沿った読取りを行うと共に、副走査方向Ｓに沿って移動可能な読取モジュール２と、読取モジュール２のイメージセンサ１７へタイミング信号を送るタイミング回路部３と、イメージセンサ１７から得られた画像信号を処理する画像処理部４と、読取モジュール２を副走査方向Ｓに沿って移動させるモジュール駆動部５と、構成各部を制御するコントローラ６と、精細度の切替えや倍率の設定が可能な操作部７と、例えばホストコンピュータに画像データを転送するために用いられる出力インタフェース８とを備えてなっている。なお、図１中、符号９は、原稿Ｋを載置して固定するためのコンタクトガラスを示す。
【００２０】
読取モジュール２は、例えば蛍光灯からなる光源１１と、光路上に配置され原稿Ｋ側から到来した光を反射してレンズ１６へ導くための第１ミラー１２、第２ミラー１３、第３ミラー１４及び第４ミラー１５と、原稿Ｋの画像をイメージセンサ１７上に結像させるレンズ１６と、リニアＣＣＤアレイからなるイメージセンサ１７と、第１ミラー１２、第２ミラー１３やレンズ１６を駆動させて原稿Ｋからレンズ１６に到る光路長を変更し倍率を変更する光学系駆動部１８と、光源１１や、第１ミラー１２、第２ミラー１３、第３ミラー１４、第４ミラー１５、レンズ１６、イメージセンサ１７及び光学系駆動部１８を収納した筐体１９とを有してなっている。
【００２１】
光学系駆動部１８は、図４に示すように、第１ミラー１２を回動させるミラー駆動部２１と、第２ミラー１３を回動させるミラー駆動部２２と、レンズ１６を光軸に沿って並進移動させるレンズ駆動部２３とを有している。
例えば、ミラー駆動部２１は、図５に示すように、第１ミラー１２の両側部を保持するミラー固定ブラケット２５，２５と、第１ミラー１２を前面側から押えて固定する固定ばね２６，２６と、筐体１９に固定されミラー固定ブラケット２５，２５を回動させる回動シャフト２７と、圧縮ばね等からなる弾性部材２８，２８，２８を介して回動シャフト２７に取り付けられた円弧状ラック２９と、円弧状ラック２９と噛合するピニオン３１と、回動範囲を規制するストッパとしての突当部材３２，３３と、ピニオン３１を回動させるステッピングモータ等のアクチュエータ（不図示）とを有してなっている。
【００２２】
ここで、突当部材３２，３３によって、規制されることによって、第１ミラー１２は、それぞれ、所定の回転位置で固定される。また、突当部材３２，３３は、それぞれ、所定の方向Ｐ、Ｑに沿って変位可能とされ、予め最適位置で固定されるように調整される。
また、ピニオン３１は、若干多めに回転制御されて、弾性部材２８の変形によって、ミラー固定ブラケット２５が確実に突当部材３２，３３に突き当てられる。
また、ミラー駆動部２２は、ミラー駆動部２１と略同一の構成とされている。また、レンズ駆動部２３は、例えば、レンズ１６を保持するレンズ保持体と、歯が光軸に沿って配置されるようレンズ保持体に取り付けられたラックと、ラックと噛合するピニオンと、ピニオンを回動させる駆動モータとを有している。
【００２３】
画像処理部４は、Ａ／Ｄ変換処理を行った後、階調処理、シェーディング補正処理、ＭＴＦ（Modulation Transfer Function）補正処理、ガンマ補正処理等と共に、例えば設定された倍率や、精細度切替操作等に基づいて変倍処理を行う。
モジュール駆動部５は、アクチュエータとしてのステッピングモータを有している。
コントローラ６は、図６に示すように、例えば読取モジュール２や画像処理部４を制御する制御部４１と、制御部４１が実行する処理プログラムや各種データ等を記憶するための記憶部４２とを有してなっている。
【００２４】
制御部４１は、ＣＰＵ（中央処理装置）等からなり、記憶部４２に記憶された各種処理プログラムを実行し、スキャナ本体の構成各部を制御する。
制御部４１は、記憶部４２に記憶されている各種処理プログラムに基づいて、例えば、画像処理部４に変倍処理を実行させたり、光学系駆動部１８を構成するミラー駆動部２１，２２やレンズ駆動部２３、モジュール駆動部５を制御するアクチュエータ駆動制御処理等を実行する。
記憶部４２は、ＲＯＭ、ＲＡＭ等の半導体メモリからなり、各種情報が格納された情報記憶部と、制御部４１が実行する各種処理プログラムが格納されるプログラム記憶部とを有している。
【００２５】
次に、図７を参照して、この例のスキャナ１の動作について説明する。
例えば、写真やフィルム等の読取範囲の狭い小さいサイズの原稿を比較的高密度で読み取りたい場合に、操作者が、操作部７を用いて、比較的高精細度での読取りが可能な高精細モードへの切替え操作を行うと、制御部４１は、光学系駆動部１８を構成するミラー駆動部２１，２２やレンズ駆動部２３を制御して、図７に示すように、第１ミラー１２、第２ミラー１３を所定角度回転させて第３ミラー１４への原稿Ｋから到来した反射光の照射を回避させて、光路長を短縮させると共に、レンズ１６を光軸に沿ってイメージセンサ１７から離れる向きに変位させて、レンズ１６とイメージセンサ１７との間の距離を調整して、焦点を合わせる。すなわち、イメージセンサ１７上に原稿Ｋの画像を結像させるようにする。
【００２６】
これにより、原稿Ｋから到来した光は、第１ミラー１２、第２ミラー１３で反射し、第３ミラー１４を経由せずに、第４ミラー１５に達し、第４ミラー１５で反射してレンズ１６に導かれ、イメージセンサ１７に拡大された画像が結像される。
このように、レンズ１６に到達するまでのミラー１２，１３，１４，１５における反射回数を減少させて、レンズ１６に導かれるように、所定のミラー１２，１３を回転させ、ミラー１４を経由させないようにして、光路長を短縮することによって、イメージセンサ１７に結像される画像を拡大する。
【００２７】
例えば、予め倍率ｎが設定されている場合は、制御部４１は、光学系駆動部１８を制御して、ミラー配置を、可能な配置のうち、設定された倍率ｎに最も近い倍率ｍに対応する配置として読み取りを行い、画像処理部４を制御して、間引き処理又は前後のデータに基づいて推定して補間データを生成する補間処理を行わせて、ｎ／ｍ倍とする倍率補正処理を行わせる。このようにして、主として光学的に倍率を切り換えて画質劣化のない任意の倍率での画像を得ることができる。
一方、本等の読取範囲の広い大きなサイズの原稿を読み取る場合に、操作者が、操作部７を用いて、通常モードへの切替え操作を行うと、制御部４１は、比較的粗い密度で読み取る。
【００２８】
このように、この例の構成によれば、ミラー駆動部２１，２２が、原稿からレンズ１６に到る光路長を変更して、イメージセンサ１７に結像される画像の倍率を変更し、ここで、例えば、写真やフィルム等の読取範囲の狭い小さいサイズの原稿を高密度で読み取りたい場合には、原稿から到来した光が、レンズ１６に到達するまでのミラー１２，１３，１４，１５における反射回数を減少させて、レンズ１６に導かれるように、所定のミラー１２，１３を回転させ、ミラー１４を経由させないようにして、光路長を短縮することによって、イメージセンサ１７に結像される画像を拡大するので、読取画素数を増加させることなく、必要に応じて十分精細な画像を得ることができる。
【００２９】
すなわち、比較的高精細に画像の読取りを行う場合には、原稿Ｋからレンズ１６までの光路長を短縮して、最適の縮小光学系としているので、比較的高い画像の鮮鋭度（例えば、ＭＴＦ）が得られ、十分高い出力が得られるために、高精細で高画質な画像を得ることができる。
ここで、読取画素数を増加させていないので、処理すべきデータ量や必要な記憶容量を抑えることができると共に、高価なＣＣＤや、高解像度のレンズを必要としないため、コストを抑制することができ、かつ、小型化の妨げになることもない。
【００３０】
また、読取画素数を増加させずに、光路長の変更によって光学的に倍率を変更しているので、本等の読取範囲の広い大きなサイズの原稿を読み取る場合には、無駄なデータがなく、光量も十分確保され、光電変換に要する時間も短いため、広範囲を高速に読み取ることができる。
また、例えば、縮小光学系方式の既存の画像読取装置に、所定のミラーを変位させるための変倍手段としてのミラー駆動部２１，２２を追加すれば良いので、開発コストや製造コストを低減することができるので、一段とコストを抑制することができる。
【実施例２】
【００３１】
図８は、この発明の第２実施例であるスキャナの読取モジュールの構成を模式的に示す図、また、図９は、同スキャナの動作を説明するための説明図である。
この例が上述した実施例１と大きく異なるところは、第１ミラーを退避させて、第４ミラーを駆動するように構成した点である。
これ以外の構成は、上述した実施例１の構成と略同一であるので、その説明を簡略にする。
【００３２】
この例のスキャナの読取モジュール２Ａは、図８に示すように、光源１１と、光路上に配置され原稿Ｋ側から到来した光を反射してレンズ１６へ導くための第１ミラー１２、第２ミラー１３、第３ミラー１４及び第４ミラー１５と、レンズ１６と、リニアＣＣＤアレイからなるイメージセンサ１７と、第１ミラー１２、第２ミラー１３やレンズ１６を駆動させて原稿Ｋからレンズ１６に到る光路長を変更し倍率を変更する光学系駆動部１８Ａと、光源１１や、第１ミラー１２、第２ミラー１３、第３ミラー１４、第４ミラー１５、レンズ１６、イメージセンサ１７及び光学系駆動部１８Ａを収納した筐体１９とを有してなっている。
【００３３】
光学系駆動部１８は、同図に示すように、第１ミラー１２を並進移動させるミラー駆動部５１と、第４ミラー１５を回動させるミラー駆動部５２と、レンズ１６を光軸に沿って並進移動させるレンズ駆動部２３とを有している。
ミラー駆動部５１、ミラー駆動部５２は、それぞれ、実施例１で述べたレンズ駆動部２３、ミラー駆動部２１と同様の構成とされている。
【００３４】
次に、図９を参照して、この例のスキャナの動作について説明する。
例えば、写真やフィルム等の読取範囲の狭い小さいサイズの原稿を比較的高密度で読み取りたい場合に、操作者が、操作部７を用いて、比較的高精細度での読取りが可能な高精細モードへの切替え操作を行うと、制御部４１は、光学系駆動部１８Ａを構成するミラー駆動部５１，５２やレンズ駆動部２３を制御して、図９に示すように、第１ミラー１２を並進移動させて光路上から退避させて、原稿Ｋから到来した光を、第２ミラー１３及び第３ミラー１４を経由することなく直接第４ミラー１５へ到達させ、かつ、第４ミラー１５を所定角度回転させて、原稿Ｋから到来した光をレンズ１６へ向けて反射させて、光路長を短縮させると共に、レンズ１６を光軸に沿ってイメージセンサ１７から離れる向きに変位させて、レンズ１６とイメージセンサ１７との間の距離を調整して、焦点を合わせる。
これにより、原稿Ｋから到来した光は、第４ミラー１５で反射し、第１ミラー１２、第２ミラー１３及び第３ミラー１４を経由せずに、第４ミラー１５に達し、第４ミラー１５で反射してレンズ１６に導かれ、イメージセンサ１７に拡大された画像が結像される。
【００３５】
この例の構成によれば、上述した実施例１と略同様の効果を得ることができる。
【００３６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、ミラーを４つ設ける場合について述べたが、もちろんこれに限らず、２つとしても良いし、５つ以上設けても良い。また、倍率を２段階に切り替える場合について述べたが、ミラー駆動部を追加して３段階以上に切替え可能としても良い。また、実施例１及び実施例２の構成を組み合わせて、倍率を４段階に切替え可能なようにしても良い。
【００３７】
また、焦点を合わせるために、レンズを固定してイメージセンサを後方へ移動させるようにしても良いし、レンズとイメージセンサとの両方を互いに離れる向きに移動させるようにしても良い。
また、カラースキャナに対しても適用することができる。
また、出力側が例えばプリンタに接続されている場合は、原稿のサイズと、出力側の印刷用紙のサイズとに基づいて自動的に倍率を設定するように構成しても良い。
また、レンズ駆動部を、レンズ保持体に取り付けたボールねじと、ボールねじを回転させる駆動モータとから構成するようにしても良い。
【産業上の利用可能性】
【００３８】
光電変換素子として、ＣＣＤのほか、フォトダイオードアレイを用いる場合に適用することができる。
【図面の簡単な説明】
【００３９】
【図１】この発明の第１実施例であるスキャナの読取モジュールの構成を模式的に示す図である。
【図２】同スキャナの構成を示すブロック図である。
【図３】同スキャナの概略構成を説明するための説明図である。
【図４】同読取モジュールの光学系駆動部の構成を示すブロック図である。
【図５】同光学系駆動部のミラー駆動部の構成を説明ずるための説明図である。
【図６】同スキャナのコントローラの構成を示すブロック図である。
【図７】同読取モジュールの動作を説明するための説明図である。
【図８】この発明の第２実施例であるスキャナの読取モジュールの構成を模式的に示す図である。
【図９】同スキャナの動作を説明するための説明図である。
【符号の説明】
【００４０】
１      スキャナ（画像読取装置）
２，２Ａ      読取モジュール（走査モジュール）
４      画像処理部
５      モジュール駆動部（モジュール駆動手段）
６      コントローラ
１１      光源
１２      第１ミラー（ミラー）
１３      第２ミラー（ミラー）
１４      第３ミラー（ミラー）
１５      第４ミラー（ミラー）
１６      レンズ
１７      イメージセンサ
１８，１８Ａ      光学系駆動部
１９      筐体
２１，２２，５１，５２      ミラー駆動部（変倍手段）
２３      レンズ駆動部（焦点調整手段）
４１      制御部
４２      記憶部
Ｋ      原稿
【図１】
2006115137.tif 000003
【図２】
2006115137.tif 000004
【図３】
2006115137.tif 000005
【図４】
2006115137.tif 000006
【図５】
2006115137.tif 000007
【図６】
2006115137.tif 000008
【図７】
2006115137.tif 000009
【図８】
2006115137.tif 000010
【図９】
2006115137.tif 000011